(57)【特許請求の範囲】
【請求項１】
６面からなる箱型に形成された土木用籠材であって、
４つの側面部が、対向する２つの螺旋撚合部を有する６角形ユニットを複数個備えた亀甲面であり、
該螺旋撚合部が、合成樹脂モノフィラメントからなる線材を、縦方向に複数配列し、隣合う前記線材同士を撚合することにより形成されており、螺旋撚合部を軸に前記線材が相互に回動可能となっており、
隣合う面同士の衝合部分において一方の面の一部を折り曲げて他方の面に添わせて重ね隣合う面同士が連結されていることを特徴とする土木用籠材。
【請求項２】
前記螺旋撚合部が上下方向に配置されていることを特徴とする請求項１記載の土木用籠材。
【請求項３】
１つの側面部を構成する第１分割体、２つの側面部と底面部を構成する第２分割体、１つの側面部と上面部とを構成する第３分割体、の３つの部品よりなることを特徴とする請求項１記載の土木用籠材。
【請求項４】
隣合う面同士の衝合部分において６角形ユニットの空隙部に、連結棒が挿入され隣合う面同士が連結されていることを特徴とする請求項１記載の土木用籠材。
【請求項５】
側面部が、前記螺旋撚合部で折り畳まれた補強部を有することを特徴とする請求項１記載の土木用籠材。
【請求項６】
前記補強部には棒状の面補強具が挿通されていることを特徴とする請求項５記載の土木用籠材。
【請求項７】
前記６面がすべて前記亀甲面であることを特徴とする請求項１記載の土木用籠材。
【請求項８】
前記線材が、断面直径２ｍｍ以上のポリエステルモノフィラメントであることを特徴とする請求項１記載の土木用籠材。
【請求項９】
前記線材には、紫外線吸収剤又は紫外線反射剤が付与されていることを特徴とする請求項１記載の土木用籠材。
【請求項１０】
６面からなる箱型に形成された土木用籠材の製造方法であって、
複数の合成樹脂モノフィラメントからなる線材を、縦方向に複数配列し、隣合う前記線材同士を撚合することにより、螺旋撚合部を有する分割体を複数形成し、そのうちの一部の分割体を螺旋撚合部の部分で折り曲げて立体化し、各分割体を隣合う面同士の衝合部分において一方の面の一部を折り曲げて他方の面に添わせて重ね隣合う面同士を連結して箱型に組み付けることを特徴とする土木用籠材の製造方法。
【請求項１１】
組み付けることにより６面からなる箱型の土木用籠材となる組み付けキットであって、複数の分割体と該分割体を連結する連結具とよりなり、分割体が螺旋撚合部を有する６角形ユニットを複数個備えた亀甲面であり、該螺旋撚合部が、合成樹脂モノフィラメントからなる線材を、縦方向に複数配列し、隣合う前記線材同士を撚合することにより形成されており、隣合う面同士の衝合部分において一方の面の一部を折り曲げて他方の面に添わせて重ね隣合う面同士が連結されていることを特徴とする土木用籠材の組み付けキット。
【請求項１２】
前記螺旋撚合部で折り畳まれた補強部に挿通させるための面補強具を更に備えることを特徴とする請求項１１記載の土木用籠材の組み付けキット。
【発明の詳細な説明】
【技術分野】
【０００１】
本発明は、土木用籠材、土木用籠材の製造方法及び土木用籠材の組み付けキットに関する。
【背景技術】
【０００２】
土木業界においては、河川護岸の根固め工、法覆い工、道路法面盛土又は切り土法尻押さえ等に土木用籠材が用いられている。
かかる土木用籠材は、亜鉛メッキを施した鋼鉄線からなる立方形の篭体内に栗石などの石材を充填したものが一般的である。
【０００３】
ところが、上記土木用籠材は強度に優れるものの、鋼鉄線が錆びると急激に強度が低下する点、及び、重量が大きくなるので施工性が悪い点、が問題となっている。
【０００４】
これに対し、鋼鉄線の代わりに、樹脂を用いる方法が検討されている。
具体的には、樹脂を用いることにより、軽量化を図り、何らかの方法で土木用籠材の強度を高める方法が提供されている。
【０００５】
例えば、樹脂製ネットで箱形に形成され、内部に栗石などの石材を充填する篭体の内部に、上記樹脂製ネットで形成した仕切板を所定の間隔で多段に設置したふとん籠（土木用籠材）（例えば、特許文献１参照）、樹脂製ネットで箱形に形成され、内部に栗石などの石材を充填する篭体の少なくとも１面を、不織布製のフィルターシートにより被覆したふとん籠（土木用籠材）（例えば、特許文献２参照）がある。
また篭体本体の箱型形状を拘束ロープおよび拘束ロープ兼吊りロープによって保持するふとん篭用篭体（土木用籠材）（例えば、特許文献３参照）も知られている。
【特許文献１】特開平１０−３７１５５号公報
【特許文献２】特開２０００−１３６５１７号公報
【特許文献３】特開２００１−３４８８３３号公報
【発明の開示】
【発明が解決しようとする課題】
【０００６】
しかしながら、上記特許文献１〜３に記載の土木用籠材においては、樹脂製ネットや無結節網（又は結節網）で構成されているので、側面がどの方向にも曲がり易く、そのため、別に仕切板、拘束ロープ等の部材を設けることにより、籠体の変形を抑制している。
従って、上記土木用籠材を施工する際に、上記部材の施工が別途必要となるので、施工が煩雑となり、特に大型の籠材である場合は、施工が困難である。
また、上記土木用籠材の製造も複雑であり、運搬や保管が嵩張る欠点がある。
【０００７】
本発明は上記事情に鑑みてなされたものであり、容易に施工でき、且つ容易に容量を調整することができる土木用籠材、土木用籠材の製造方法及び土木用籠材の組み付けキットを提供することを目的とする。
【課題を解決するための手段】
【０００８】
本発明者らは、上記課題を解決するため鋭意検討したところ、複数の合成樹脂モノフィラメントからなる線材同士を撚合して、土木用籠材の面を形成することにより、上記課題を解決し得ることを見出し、本発明を完成するに至った。
【０００９】
すなわち、本発明は、（１）、６面からなる箱型に形成された土木用籠材であって、４つの側面部が、対向する２つの螺旋撚合部を有する６角形ユニットを複数個備えた亀甲面であり、該螺旋撚合部が、合成樹脂モノフィラメントからなる線材を、縦方向に複数配列し、隣合う前記線材同士を撚合することにより形成されており、螺旋撚合部を軸に前記線材が相互に回動可能となっており、隣合う面同士の衝合部分において一方の面の一部を折り曲げて他方の面に添わせて重ね隣合う面同士が連結されている土木用籠材に存する。
【００１０】
本発明は、（２）、前記螺旋撚合部が上下方向に配置されている上記（１）記載の土木用籠材に存する。
【００１１】
本発明は、（３）、１つの側面部を構成する第１分割体、２つの側面部と底面部を構成する第２分割体、１つの側面部と上面部とを構成する第３分割体、の３つの部品よりなる上記（２）記載の土木用籠材に存する。
【００１２】
本発明は、（４）、隣合う面同士の衝合部分において６角形ユニットの空隙部に、連結棒が挿入され隣合う面同士が連結されている上記（１）記載の土木用籠材に存する。
【００１４】
本発明は、（５）、側面部が、前記螺旋撚合部で折り畳まれた補強部を有する上記（１）記載の土木用籠材に存する。
【００１５】
本発明は、（６）、前記補強部には棒状の面補強具が挿通されている上記（５）記載の土木用籠材に存する。
【００１６】
本発明は、（７）、前記６面がすべて前記亀甲面である上記（１）記載の土木用籠材に存する。
【００１７】
本発明は、（８）、前記線材が、断面直径２ｍｍ以上のポリエステルモノフィラメントである上記（１）記載の土木用籠材に存する。
【００１８】
本発明は、（９）、前記線材には、紫外線吸収剤又は紫外線反射剤が付与されている上記（１）記載の土木用籠材に存する。
【００１９】
本発明は、（１０）、６面からなる箱型に形成された土木用籠材の製造方法であって、
複数の合成樹脂モノフィラメントからなる線材を、縦方向に複数配列し、隣合う前記線材同士を撚合することにより、螺旋撚合部を有する分割体を複数形成し、そのうちの一部の分割体を螺旋撚合部の部分で折り曲げて立体化し、各分割体を隣合う面同士の衝合部分において一方の面の一部を折り曲げて他方の面に添わせて重ね隣合う面同士を連結して箱型に組み付ける土木用籠材の製造方法に存する。
【００２０】
本発明は、（１１）、組み付けることにより６面からなる箱型の土木用籠材となる組み付けキットであって、複数の分割体と該分割体を連結する連結具とよりなり、分割体が螺旋撚合部を有する６角形ユニットを複数個備えた亀甲面であり、該螺旋撚合部が、合成樹脂モノフィラメントからなる線材を、縦方向に複数配列し、隣合う前記線材同士を撚合することにより形成されており、隣合う面同士の衝合部分において一方の面の一部を折り曲げて他方の面に添わせて重ね隣合う面同士が連結されている土木用籠材の組み付けキットに存する。
【００２１】
本発明は、（１２）、前記螺旋撚合部で折り畳まれた補強部に挿通させるための面補強具を更に備える上記（１１）記載の土木用籠材の組み付けキットに存する。
【００２２】
なお、本発明の目的に添ったものであれば、上記（１）〜（１２）を適宜組み合わせた構成も採用可能である。
【発明の効果】
【００２３】
本発明の土木用籠材は、合成樹脂モノフィラメントからなる線材により形成され４つの側面部が、対向する２つの螺旋撚合部を有する６角形ユニットを複数個備えた亀甲面であるので、強度に優れると共に、十分に軽量化が図れる。
したがって大型であったとしても、施工が容易である。
【００２４】
また、上記土木用籠材においては、合成樹脂モノフィラメント同士の撚合で螺旋撚合部が形成されており、螺旋撚合部を軸に回動可能となっているので、折り畳み又は折り曲げが容易に可能である。
そのため折り畳み又は折り曲げにより簡単に補強部を形成することができる。
また螺旋撚合部が上下方向に配置されていることにより、側面部の撓みが防止できる。
【００２５】
隣合う面同士の衝合部分において６角形ユニットの空隙部に、連結棒が挿入されて隣合う面同士が連結されるので、連結自体が容易で、且つ連結強度も向上する。
【００２６】
隣合う面同士の衝合部分において一方の面の一部を折り曲げて他方の面に添わせて重ね隣合う面同士を連結することにより、添わせた部分が多重となり更により多くの線材が位置することになるので、より強度が向上することになる。
【００２７】
すべての６面（上面部Ｐ６、底面部Ｐ５及び４つの側面部Ｐ１〜Ｐ４）が亀甲面である場合は、土木用籠材としてより軽量化が図れる。
また、螺旋撚合部を軸に回動し、折れ曲がることができるので、底面部が地盤の凹凸に沿った形に馴染み易い。そのため地盤に施工載置された際、地盤に沿って滑るようなことがなく、施工後の位置安定性がでる。
【００２８】
また、線材が、断面直径２ｍｍ以上のポリエステルモノフィラメントであると、十分な強度が保証されると共に、安価且つ容易に土木用籠材を製造できる。
【００２９】
また、線材に紫外線吸収剤又は紫外線反射剤が付与されていると、これらの効果を土木用籠材に付加することができる。
【００３０】
側面部が、前記螺旋撚合部で折り畳まれた補強部を有することで曲がり難くなり、また補強部には棒状の面補強具が挿通されていることにより、より一層曲がり難くなる。
更に、補強部を側面部に対して垂直に起立状態にした場合は、籠の内方に突き出るので支えとなって側面部が内側に傾斜するのを防止することができる。
【００３１】
また、上記土木用籠材の製造に、用いる線材の数を調整することにより、面の大きさ（特に横幅）を自由に変えられるので、異なるキットのパターンが簡単に可能となる。
１つの側面部を構成する第１分割体、２つの側面部と底面部を構成する第２分割体、１つの側面部と上面部とを構成する第３分割体の３つの部品よりなることにより、組み付けがし易く、且つ側面部の螺旋撚合部を上下方向に配置することにより、側面部の撓みを極力、防止することができる。
したがって、例えば、土木用籠材に重量の大きい石材等を充填した場合であっても、土木用籠材の形状の保持性が良い。
また、各分割部をロール状に巻き取ることができるので、搬送も容易であり、保管も場所をとらない。
【００３２】
本発明の土木用籠材の組み付けキットは、複数の分割部を棒状連結具を使って連結するだけで得られるため、製造が簡単である。
【００３３】
また、上記土木用籠材の組み付けキットは、面補強具を更に備えることで、より一層強度に優れる土木用籠材となる。
【発明を実施するための最良の形態】
【００３４】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００３５】
［第１実施形態］
まず、本発明に係る土木用籠材の第１実施形態について説明する。
図１は、本発明の土木用籠材の第１実施形態に係る土木用籠材及びその組み付け状態を説明した斜視図である。
図１に示すように、本実施形態に係る土木用籠材Ａは、６面よりなる箱型の形状（すなわち直方体形状）を有しており、上面部Ｐ６、底面部Ｐ５及びすべての４つの側面部Ｐ１、Ｐ２、Ｐ３、Ｐ４が、６角形ユニット６を有する亀甲面からなっている。
【００３６】
ここで亀甲面は、複数の螺旋撚合部４を有し、該螺旋撚合部４は、合成樹脂モノフィラメントからなる線材を、縦方向に複数配列し、隣合う線材同士を複数回撚合することにより形成されている。
その結果、単線部と螺旋撚合部とよりなる６角形ユニット６（すなわち対向する２つの螺旋撚合部４を有する）が形成され、それによって亀甲状（すなわち６角形）の区画された空隙部Ｓができる。
【００３７】
図２は、その亀甲面を更に説明するため縦方向の一部を拡大して示す図である。
図に示すように、亀甲面は、複数の（ここでは２本で示している）線材を上下に配列し、一定間隔毎に線材同士を相互に複数回撚合させていくことで形成される。
この撚合により螺旋撚合部４〔図２（ｂ）参照〕が形成され、同時に区画された幅Ｌの亀甲状の空隙部Ｓが形成される。
ここで亀甲面全体は、上底が螺旋部３を有する台形状ユニット５を備えた波状線材１〔図２（ａ）参照〕により作られていることが分かる。
【００３８】
この撚合により生じる螺旋撚合部４は、線材である合成樹脂モノフィラメントを複数回撚合した状態となっているので、錆びにくいため線材相互の摩擦が少なく、また弾性力や復元力が大きい。
そのため、この螺旋撚合部４を軸（一点鎖線参照）として両側の２つの波状線材１を容易に回動でき、よって折り曲げ或いは折り畳むことが可能となる。
一方、回動させて折り曲げ或いは折り畳んだ後、また逆回動させて元の状態に簡単に戻すことも可能である。
ちなみに、従来のような鋼鉄線であるとこのような回動の自由度は殆ど生じなく、塑性変形して曲がったままになり、元の状態に戻らない。
また螺旋撚合部４は、複数回の撚合により生じているので、この部分自体により強度を発揮できる。
【００３９】
さて図３は、土木用籠材Ａを構成する分割体の展開図である。
図に示すように、土木用籠材Ａは、１つの側面（第１側面部Ｐ１）よりなる第１分割体Ｄ１、２つの側面部（第２側面部Ｐ２、第３側面部Ｐ３）と底面部Ｐ５とよりなる第２分割体Ｄ２、１つの側面部（第４側面部Ｐ４）と上面部Ｐ６とよりなる第３分割体Ｄ３、の３つの部品（部片）よりなる。
なお、第１側面部〜第４側面部、上面部、及び底面部はすべてが矩形であり、その内、第１側面部Ｐ１と第４側面部Ｐ４、第２側面部２Ｐと第３側面部３Ｐ、上面部Ｐ６と底面部Ｐ５は、それぞれ同一形状である。
これらの部品を、連結して組み付けることにより土木用籠材Ａの全体が箱型に形成される。
【００４０】
ところで、分割体の側面部は、並べる上で、極力、撓まない方がよい。
上記各分割体の側面部に相当する部分において、土木用籠材内部に砕石等の中詰め材が詰まった状態では、外方向へ押す力が加わり、曲げ力が働く。
また、施工後においては積み上げることにより上から荷重が加わり、同様に曲げ力が働く。
すなわち側面部が上下方向に外側に撓み易いのである。
このようなことから、図のように土木用籠材Ａの側面部を構成する部分に関しては螺旋撚合部４が上下方向に向くようにする。
このような状態では、波状線材１が上下方向に走っており、また螺旋撚合部の２重の線材が支えとなり強度を発揮し曲がり難いのである。
【００４１】
これらの部品を土木用籠材として組み付けるには、まず、第１分割体Ｄ１（第１側面部Ｐ１）はそのままにし、第２分割体Ｄ２おいて側面部（第２側面部Ｐ２、第３側面部Ｐ３）と底面部Ｐ５との境界を折り曲げて立体化しコの字状態にする。
この折り曲げは、螺旋撚合部４が軸として機能するため容易に行える。
【００４２】
また、第３分割体Ｄ３においては、側面部（第４側面部Ｐ４）と上面部Ｐ６との境界を折り曲げて立体化しＬ字状態にする。
このような折り曲げは螺旋撚合部４の端（６角形の角点）から曲げる。
なお、折り曲げの部分は、このように上下方向では螺旋撚合部の端、すなわち６角形の角点２が曲げ易いので、このポイントで折り曲げることが好ましい。
また折り曲げる位置に色彩、紐等による印を付けておき、該印を目処に折り曲げると正確な寸法となる。
なお、第１分割体Ｄ１は平板状のままである。
【００４３】
次に、コの字状態の第２分割体Ｄ２に対して、側方から第１分割体Ｄ１を押し当て、隣合う面同士の衝合部分（すなわち第１分割体Ｄ１の縁部と第２分割体Ｄ２の縁部）を連結する。
そして第２分割体Ｄ２と第１分割体Ｄ１とを組み付けた後、第３分割体Ｄ３を上から被せるようにして当て、これら隣合う面同士の衝合部分（すなわち第２分割体Ｄ２の縁部と第３分割体Ｄ３の縁部）を連結する。
【００４４】
ここで、第２分割体Ｄ２の側面部（第２側面部Ｐ２及び第３側面部Ｐ３）の縁と第３分割体Ｄ３の側面部Ｐ４の縁のみを連結し、蓋となる上面部Ｐ６は連結しない。
このような組み付けにより、上面部Ｐ６（蓋に相当する）が開閉自在となった箱型の土木用籠材Ａが得られる。
このように土木用籠材Ａが、図３に示すような３つ部品の分割体よりなる場合は、組み立てが容易であり、また螺旋撚合部を上下方向に配置し易いものとなる。
次に、この土木用籠材Ａに砕石等の中詰め材を投入し、その後、上面部Ｐ６と各側面部の衝合部分を連結することで中詰め材が詰まった土木用籠材Ａが得られる。
以上の連結操作は６角形ユニットにより区画された空隙部Ｓに、共通に棒状連結具１５を挿入することにより行うものであり、この連結手法については次に詳しく述べる。
【００４５】
図４は、分割体同士の連結手法を拡大して示す説明図である。
図４（ａ）は、第２分割体Ｄ２の第２側面部Ｐ２と第３分割体Ｄ３の第４側面部Ｐ４との上下方向の縁部を連結する場合を模式的に示した図である。
すなわち、各側面部の縁部は、６角形ユニットの空隙部Ｓが同じ方向に形成されているので、この空隙部Ｓに共通に棒状連結具１５を挿入していくことにより、上下方向の両縁部が連結される。
ここで棒状連結具１５は、長尺板や一定長さの線材束ねて撚りを加えたもの、細円柱棒等が採用される。
【００４６】
図４（ｂ）は、第２分割体Ｄ２の第２側面部Ｐ２と第３分割体の上面部Ｐ６との水平方向の各縁部を連結する場合を模式的に示した図である。
すなわち、各側面部の縁部は、６角形ユニットの空隙部Ｓが直交する異なる方向に形成されているが、この場合も、この空隙部Ｓに共通に棒状連結具１５を挿入していくことにより、水平方向の両縁部が連結される。
【００４７】
図５は、分割体同士の別の連結方法を示す説明図である。
図５（ａ）は、第１分割体Ｄ１（すなわち第１側面部Ｐ１）と第２分割体Ｄ２の底面部Ｐ５との水平方向の縁部を連結する状態を示した図である。
この場合は、第１分割体Ｄ１の下縁部の一部を直角に折り曲げて第２分割体Ｄ２の底面部Ｐ５の縁部の上に内側から重ね合わせる。
重ねた部分のそれぞれの６角形ユニットの空隙部Ｓに共通に棒状連結具１５を挿通するにより連結される。
空隙部Ｓの向きは異なるが、当然、棒状連結具を挿入できる。
この重ね合わせた部分は３重になっているので多くの線材が位置することになり、より強度が向上する。
【００４８】
図５（ｂ）は、第１分割体Ｄ１と第２分割体Ｄ２の第２側面部Ｐ２との上下方向の縁部を連結する状態を示した図である。
この場合は、第１分割体（すなわち第１側面部Ｐ１）の縁部を直角に折り曲げて第２分割体Ｄ２の第２側面部Ｐ２の縁部の上に内側から重ね合わせる。
重ねた部分のそれぞれの６角形ユニットの空隙部Ｓに共通に棒状連結具を挿入することで両縁部は連結される。
また６角形ユニットの空隙部Ｓの向きは、同じ向きとなっているので、容易に棒状連結具を挿入することができる。
この重ね合わせた部分も３重になっていることにより、補強される。
【００４９】
（線材）
ここで、亀甲面を作る線材（すなわち波状線材１）について更に述べる。
線材は、合成樹脂モノフィラメント（プラスチックワイヤーともいう）からなり、かかる合成樹脂としては、特に限定されないが、ポリオレフィン、ポリエステル、ポリエーテル、脂肪族ポリアミド、芳香族ポリアミド等が挙げられる。
ここで、合成樹脂モノフィラメントは延伸されて十分強度等が担保されている。
これらの中でも、汎用性に優れ、耐久性に優れるポリエステルであることが好ましい。
【００５０】
また線材は、断面の直径が２ｍｍ以上であることが好ましく、５ｍｍ以下であることがより好ましい。
この場合、十分な強度が保証されると共に、安価且つ容易に土木用籠材を製造できる。
【００５１】
線材の引っ張り強度は、１０ｋｇ／ｍｍ２以上であることが好ましい。
この場合の土木用籠材は、重量の大きな砕石等であっても、変形することなく、収容することができる。
【００５２】
線材には、耐候性を向上させるための紫外線吸収剤や紫外線反射剤が付与されていてもよい。
紫外線吸収剤や紫外線反射剤を付与する方法は、特に限定されないが、紫外線吸収剤や紫外線反射剤が直接線材に練り込まれていることが好ましく、これらの効果を土木用籠材Ａに確実に付加することができる。
なお、紫外線吸収剤や紫外線反射剤が練り込みは、線材の成形時に原料となるポリエステル等に紫外線吸収剤や紫外線反射剤を混合させればよい。
【００５３】
（土木用籠材の利点）
以上、説明した土木用籠材Ａは、線材が合成樹脂モノフィラメントからなるので、十分に軽量化が図られ、組み付ける際、取り扱いが簡単である。
また大型であったとしても、施工が容易である。
また、すべての側面部が合成樹脂モノフィラメント同士の撚合で螺旋撚合部４が形成されており、螺旋撚合部を軸として回動可能となっているので、必要なところを折り畳み又は折り曲げることができる。
このように、本発明の土木用籠材Ａにおいては螺旋撚合部に動きの自由度があることから、更に特有の作用効果が発揮される。
【００５４】
図６は、施工後の土木用籠材と地盤との馴染み性（対応性）を示す説明図である。
本発明の土木用籠材Ａは、底面部Ｐ５が地盤の凹凸に沿った形に対応して変形し易い。すなわち、馴染み易いといえる。
すなわち底面部Ｐ５に備わっている螺旋撚合部４が図６（ｂ）のように折れ曲がることができるので、図６（ａ）のように中詰め材（砕石等）の荷重により底面部Ｐ５が地盤の凹凸に沿って変形するのである。
そのため、土木用籠材Ａが、地盤に施工載置された際、地盤に沿って滑るようなことがなく、施工後の位置安定性が増す。
【００５５】
ちなみに、図７は、従来の鉄線を使った土木用籠材と地盤との馴染み性を示す説明図であるが、底面部Ｐ５が地盤に馴染まないため、滑りが生じ易く施工後の位置安定性が悪い。
また土木用籠材Ａは、現場では、吊り上げ操作がなされるが、吊り上げて下ろした場合、合成樹脂モノフィラメントからなる線材を縦方向に複数配列して螺旋撚合部が形成されているので、吊り上げて一旦変形しても、元の形に復帰することができる利点がある。
【００５６】
また土木用籠材Ａは、螺旋撚合部の位置で容易に折り曲げ又は折り畳みできるため、後述するように、面に補強部を形成することが容易である。
また、それぞれの面をロール状に巻き取ることができるので、搬送も容易であり、保管も便利である。
螺旋撚合部４は、錆びるようなことが全くなく、経時後も折り曲げ又は折り畳みのし易さが長く変わらない。
【００５７】
また全側面部において波状線材１が上下方向（縦方向）に配列され螺旋撚合部４も同様に配列されているので、強度が発揮され、中詰め材を充填しても、或いは施工後においても側面部が上下方向に撓み難い。
【００５８】
本発明では、面同士の連結においては、棒状連結具１５を押し通して空隙部Ｓに挿入していくだけで、土木用籠材Ａの面同士が的確に連結される。
そしてこの棒状連結具１５が補強の役割を果たす。
したがって、例えば、土木用籠材Ａに重量の大きい砕石等を充填した場合であっても、土木用籠材Ａの形状を十分に保持できるのである。
また、棒状連結具１５は、簡便に取り付けられるので、施工が簡単である。
【００５９】
（製造方法）
本発明の土木用籠材Ａの製造方法においては、複数の合成樹脂モノフィラメントからなる線材を、縦方向に複数配列し、隣合う前記線材同士を複数回撚合することにより、折り曲げ容易な螺旋撚合部４を有する所定大きさの分割体を複数個形成する。
そのうちの選択された一部の分割体を螺旋撚合部４の部分で折り曲げて立体化する。
そして各分割体を箱形に組み付けるのである。  
本発明の土木用籠材においては、用いる線材の数を調整することにより、製造時に、面の大きさ（特に横幅）を自由に変えられるので、異なるキットのパターンが容易に可能である。
【００６０】
また、波状線材１の台形状のユニット５の大きさを調整することにより、６角形ユニットの６角形の空隙部Ｓの大きさを変更でき、更に、目付を調整することも可能である。
ここで空隙部Ｓの幅Ｌ（螺旋撚合部間の距離）は、２５〜１５０ｍｍであることが好ましい。
幅Ｌが２５ｍｍ未満であると、幅Ｌが上記範囲内にある場合と比較して、必要な線材（波状線材１）の数が増えるので、重量が増す傾向にあり、幅Ｌが１５０ｍｍを超えると、幅Ｌが上記範囲内にある場合と比較して、内部に収容した砕石等が空隙部Ｓから落石し易くなる。
【００６１】
［第２実施形態］
次に、本発明に係る土木用籠材の第２実施形態について説明する。
図８は、本発明に係る土木用籠材の第２実施形態を示した説明図である。
図に示すように、本実施形態に係る土木用籠材Ａは、側面部に敢えて別の補強機能を有している点で第１実施形態に係る土木用籠材Ａとは相違する。
拡大部Ｔ１に模式的に示すように、土木用籠材Ａは側面部が、螺旋撚合部４にて折り畳まれ起立した補強部２１を有する。
補強部２１を側面部に対して垂直に起立状態にした場合は、籠の内方に突き出るので支えとなって側面部が内側に傾斜するのを防止することができる。
更にまた、内部に一旦充填した砕石等が移動しにくい利点もある。
そして、この補強部２１には、必要に応じて、拡大部Ｔ２に示すように、その空隙部Ｓに棒状の面補強具２２が上下方向に挿通される。
【００６２】
従って、この土木用籠材Ａは、第１実施形態に係る土木用籠材Ａよりも、より強度が優れたものとなる。
すなわち、螺旋撚合部４で折り畳まれた補強部２１は、２重になり、その分２倍の線材が位置することになるので、いわゆる腰がでて強度が向上し湾曲しにくい。
また、土木用籠材Ａは、側面部が補強部２１を有するだけでなく、該補強部２１には棒状の面補強具２２が上下方向に挿通されているので、補強部２１が確実に固定され、より一層強度に優れるものとなる。
なお、面補強具２２としては、６角形ユニット６で形成される空隙部Ｓに挿通せて取り付けができるものであればよい。
【００６３】
［第３実施形態］
次に、本発明に係る土木用籠材の第３実施形態について説明する。
図９は、本発明に係る土木用籠材の第３実施形態を示した図である。
図に示すように、本実施形態に係る土木用籠材Ａは、第２の実施の形態と同じように、側面部に補強機能を有してはいるが、この補強部の形態が少し異なる。
すなわち、拡大部Ｔ３に模式的に示すように、側面部に対して垂直に起立した補強部２１を、更に側面部に沿って重なるよう折り曲げた形状となっている。
【００６４】
また、必要に応じて、拡大部Ｔ４に示すように、棒状の面補強具２２は、補強部２１の背面を上から押さえ付けるようにして、側面部の空隙部Ｓに互い違いに挿通される。
これにより、補強部２１が側面部に沿って固定される。
【００６５】
この土木用籠材Ａにおいては、第２実施形態に係る土木用籠材Ａと同様に、第１実施形態に係る土木用籠材Ａよりも強度に優れるものとなる。
これに加え、補強部２１が側面部に当接しているので、内方に突出せず砕石等を充填がし易い。
【００６６】
［第４実施形態］
図１０は、本発明に係る土木用籠材の第４実施形態を示した図である。
図に示すように、本実施形態に係る土木用籠材Ａは、側面部に補強機能を有しているが、螺旋撚合部４で折り畳まれた補強部はなく、側面部に、補強のための面補強具２２を直接取り付けている。  
棒状の面補強具２２は、拡大部Ｔ５に示すように、側面部の空隙部Ｓに互い違いになるように、横方向（水平方向）に挿通され取り付けられている。
このようにすることで、螺旋撚合部４を軸にした回動を積極的に阻止し、側面部の横方向の湾曲を防止する。
【００６７】
上述した各実施形態に係る土木用籠材Ａにおいては、分割体と、分割体の組み付けに使用する棒状連結具１５、補強のために使用する棒状の面補強具２２等の組み合わせが土木用籠材Ａの組み付けキットとなる。
すなわち、土木用籠材Ａの組み付けキットは、各分割体と棒状連結具１５との組み合わせ、各分割体と棒状連結具１５と面補強具２２との組み合わせ、等の組み合わせパターンがある。
【００６８】
以上、本発明の好適な実施形態について説明したが、本発明は上記実施形態に限定されるものではない。
【００６９】
例えば、図１１は、コイル形の棒状連結具を使って、組み付けた例である。
この場合の土木用籠材Ａは、図１２に示すように、上面部を構成する第１分割体（図１２ａ参照）、第１側面部、第２側面部、第３側面部及び第４側面部を一体とした全側面部１３を構成する第３分割体（図１２ｂ参照）、底面部を構成する第３分割体（図１２ｄ参照）、を連結により組み付けた例で示した。
これら各分割体の衝合部分に共通にコイル形の棒状連結具１５を回転させて挿通させていくことで、土木用籠材Ａが組み付けられる。
ここでは、各分割体とコイル形の棒状連結具１５との組み合わせでキットが構成される。
【００７０】
図１３及び図１４は、土木用籠材の側面部の分割部の変形例を示す図である。
図１３においては、側面部を構成する各４つの分割体が全側面部２３を構成している。
これは、部品数が増えるが、小さくまとめられるので保管が簡単である。
これに、上面部、底面部、棒状連結具等を含めて土木用籠材の組み付けキットが構成される。
【００７１】
図１４においては、３つの側面部を構成する分割体と、１つの側面部を構成する分割体とで全側面部３３を構成している。
この場合も、これらに、上面部、底面部、棒状連結具等を含めて土木用籠材の組み付けキットが構成される。
上述した第１、第２、第３、及び第４実施形態に係る土木用籠材においては、上面部、底面部及びすべての側面部が、亀甲状の空隙部Ｓを有する亀甲面からなっているが、少なくとも側面部の全部を亀甲面とするのであれば、上面部及び底面部はこのような亀甲面ではなく、格子状の網等であってもよい。
【００７２】
また各実施形態における棒状連結具の空隙部Ｓへの挿通の仕方は、２つ飛び、或いは３つ飛びでもよく、要は安定した取り付けができればよい。
また、分割部同士の連結には、棒状連結具を使って行っているが、柔軟な紐やベルトによる結束を採用することも可能である。
【００７３】
（利用分野）
本発明の土木用籠材Ａは、所望の栗石、割石、コンクリート塊、砕石等を内部に収容し、河川護岸の根固め工、河川護岸の法覆い工、道路法面の土止め工、切り土法尻押さえ等の用途に好適に用いられる。
【図面の簡単な説明】
【００７４】
【図１】図１は、本発明の土木用籠材の第１実施形態に係る土木用籠材及びその組み付け状態を説明した斜視図である。
【図２】図２は、亀甲面を説明するため上下方向の一部を拡大して示す図であり、（ａ）は、波状線材を示し、（ｂ）は、線材同士を撚合させた状態を示す。
【図３】図３は、第１実施形態に係る土木用籠材の各分割部を示す図であり、（ａ）は第１分割体を示し、（ｂ）は、第１分割体を示し、（ｃ）は第３分割体を示し、（ｄ）は、連結具を示す。
【図４】図４は、第１実施形態に係る分割体同士の連結方法を拡大して示す説明図であり、（ａ）は、図４（ａ）は、第２分割体の第２側面部と第３分割体の第４側面部との上下方向の縁部を連結する場合を模式的に示した図であり、（ｂ）は、第２分割体の第２側面部と第３分割体の上面部との水平方向の各縁部を連結する場合を模式的に示した図である。
【図５】図５は、第１実施形態に係る分割体同士の別の連結方法を示す説明図であり、（ａ）は、第１分割体Ｄ１と第２分割体Ｄ２の底面部Ｐ５との水平方向の縁部を連結する状態を示した図であり、（ｂ）は、第１分割体と第２分割体の第２側面部との上下方向の縁部を連結する状態を示した図である。
【図６】図６は、施工後の土木用籠材と地盤との馴染み性を示す説明図である。
【図７】図７は、従来の鉄線を使った土木用籠材と地盤との馴染み性を示す説明図である。
【図８】図８は、本発明に係る土木用籠材の第２実施形態を示した図である。
【図９】図９は、本発明に係る土木用籠材の第３実施形態を示した図である。
【図１０】図１０は、本発明に係る土木用籠材の第４実施形態を示した図である。
【図１１】図１１は、螺旋状連結具を使って土木用籠材を組み付けた例である。
【図１２】図１２は、図１１の土木用籠材に係る分割部を示す図であり、（ａ）、（ｂ）、（ｃ）は、分割体を示し、（ｄ）は、コイル形の棒状連結具を示す。
【図１３】図１３は、他の実施形態に係る土木用籠材の全側面部の分割部を示す図である。
【図１４】図１４は、他の実施形態に係る土木用籠材の全側面部の別の分割部を示す図である。
【符号の説明】
【００７５】
１・・・波状線材
２・・・角点    
３・・・螺旋部
４・・・螺旋撚合部
５・・・台形状ユニット
６・・・６角形ユニット
１１・・・上面部
１２・・・底面部
１３，２３，３３・・・全側面部
１５・・・棒状連結具
２１・・・補強部
２２・・・面補強具
Ａ・・・土木用籠材
Ｄ１、Ｄ２、Ｄ３、Ｄ４・・・分割部
Ｐ１・・・第１側面部
Ｐ２・・・第２側面部
Ｐ３・・・第３側面部
Ｐ４・・・第４側面部
Ｐ５・・・底面部
Ｐ６・・・上面部
Ｌ・・・幅
Ｓ・・・空隙部
【図１】
0004256448.tif 000002
【図２】
0004256448.tif 000003
【図３】
0004256448.tif 000004
【図４】
0004256448.tif 000005
【図５】
0004256448.tif 000006
【図６】
0004256448.tif 000007
【図７】
0004256448.tif 000008
【図８】
0004256448.tif 000009
【図９】
0004256448.tif 000010
【図１０】
0004256448.tif 000011
【図１１】
0004256448.tif 000012
【図１２】
0004256448.tif 000013
【図１３】
0004256448.tif 000014
【図１４】
0004256448.tif 000015